(57)【要約】【課題】プリペイドカードが偽造された場合であっても、偽造されたプリペイドカードの不正使用を防止する。【解決手段】  本ＩＤ３ａが印刷されたプリペイドカード２を、本ＩＤ３ａと対応づけられた仮ＩＤ３ｂが印刷されたシート１に、本ＩＤ３ａが隠蔽されるように剥離可能に接着した状態で、仮ＩＤ３ｂを店舗端末１０−１〜１０−ｎにて読み取ることによって、本ＩＤ３ａが印刷されたプリペイドカード２を利用可能な状態に設定し、その後、シート１からプリペイドカード２が剥離され、プリペイドカード２に印刷された本ＩＤ３ａが店舗端末１０−１〜１０−ｎにて読み取られることによりプリペイドカード２が利用される構成とする。【選択図】図１
2005149289.tif 000002
【特許請求の範囲】
【請求項１】
プリペイドカードに付与された金券情報を管理する金券情報管理システムであって、
表面に第１の識別情報が印刷されてなるプリペイドカードが、前記第１の識別情報が隠蔽されるように剥離可能に接着されるとともに、第２の識別情報が印刷されたシートと、
通信回線に接続され、前記第１及び第２の識別情報を読み取り可能な店舗端末と、
通信回線を介して前記店舗端末と接続可能に構成され、前記第１の識別情報と前記第２の識別情報とを対応づけて管理しておき、前記店舗端末にて前記第２の識別情報が読み取られた場合に、該第２の識別情報に対応づけられた第１の識別情報が印刷されたプリペイドカードを利用可能な状態として該プリペイドカードの金券情報を当該第１の識別情報と対応づけて管理しておき、前記店舗端末から前記第１の識別情報及び金額情報が送信されてきた場合に、当該第１の識別情報と対応づけて管理されている前記金券情報を、該第１の識別情報とともに前記店舗端末から送信されてきた前記金額情報を用いて更新する金券情報管理手段とを有することを特徴とする金券情報管理システム。
【請求項２】
請求項１に記載の金券情報管理システムにおいて、
通信回線に接続可能なユーザ端末を有し、
前記プリペイドカードには、第３の識別情報が印刷され、
前記金券情報管理手段は、前記第１の識別情報と前記第３の識別情報とを対応づけて管理しておき、前記ユーザ端末にて前記第１の識別情報及び前記第３の識別情報が指定された場合に、両者が対応づけて管理されている場合、前記第１の識別情報に対応づけられた金券情報を前記ユーザ端末に送信することを特徴とする金券情報管理システム。
【請求項３】
通信回線に接続可能に構成され、第１の識別情報が印刷されてなるプリペイドカードに付与された金券情報を管理する金券情報管理サーバであって、
前記第１の識別情報を、該第１の識別情報とは異なる第２の識別情報と対応づけて管理しておき、前記第２の識別情報が通信回線を介して送信されてきた場合に、該第２の識別情報に対応づけられた第１の識別情報が印刷されたプリペイドカードを利用可能な状態として該プリペイドカードの金券情報を当該第１の識別情報と対応づけて管理しておき、前記第１の識別情報及び金額情報が通信回線を介して送信されてきた場合に、当該第１の識別情報と対応づけて管理されている前記金券情報を、該第１の識別情報とともに通信回線を介して送信されてきた前記金額情報を用いて更新することを特徴とする金券情報管理サーバ。
【請求項４】
請求項３に記載の金券情報管理サーバにおいて、
前記第１及び第２の識別情報とは異なる第３の識別情報を、前記第１の識別情報と対応づけて管理しておき、通信回線を介して前記第１の識別情報及び前記第３の識別情報が送信されてきた場合に、両者が対応づけて管理されている場合、前記第１の識別情報に対応づけられた金券情報を通信回線を介して前記第１の識別情報及び前記第３の識別情報の送信元に送信することを特徴とする金券情報管理サーバ。
【請求項５】
第１の識別情報が印刷されたプリペイドカードが剥離可能に接着されたプリペイドカード付きシートであって、
前記第１の識別情報が隠蔽されるように前記プリペイドカードが剥離可能に接着されるとともに、前記第１の識別情報と対応づけられた第２の識別情報が印刷されていることを特徴とするプリペイドカード付きシート。
【発明の詳細な説明】
【技術分野】
【０００１】
本発明は、プリペイドカードに付与された金券情報を管理する金券情報管理システム及び金券情報管理サーバ、並びに、金券情報管理システムに用いられるプリペイドカードが剥離可能に接着されてなるプリペイドカード付きシートに関する。
【背景技術】
【０００２】
従来より、商品等の販売／購入において、商品等の販売／購入時における金銭の受け渡しの手間を省くために、金額情報が書き込まれたプリペイドカードが利用されている。このプリペイドカードを用いた商品等の販売／購入方法においては、消費者が、決められた金額情報が書き込まれたプリペイドカードを予め購入しておき、消費者が商品等を購入する際にプリペイドカードをレジにて提示すると、プリペイドカードに書き込まれた金額情報がレジにて読み取られ、読み取られた金額情報から消費者が購入する商品等の金額が減算され、減算された金額情報がプリペイドカードに書き込まれる。金額情報が書き換えられたプリペイドカードは、書き込まれている金額情報が“０”となるまで、上述したように利用される。
【０００３】
また、近年においては、消費者がプリペイドカードを購入する際、店舗内に設けられた端末にてプリペイドカードに書き込まれた識別情報を読み込ませるとともに金額を指定することにより、この識別情報に対応づけて金額情報を管理しておき、その後、有料コンテンツを利用する場合に識別情報を指定することにより、この識別情報に対応づけられた金額情報から利用金額を減算していくシステムが考えられている（例えば、特許文献１参照。）。
【０００４】
さらに、プリペイドカードにＩＤ及びパスワードを含むバーコード情報を予め印刷しておき、消費者がプリペイドカードを購入する際、店舗内に設けられた端末にてプリペイドカードに印刷されたバーコード情報を読み取り、読み取ったバーコード情報をサーバ側に送信することにより、バーコード情報が印刷されたプリペイドカードを利用可能な状態とし、その後、消費者が、電子店舗利用時にＩＤ及びパスワードを入力し、入力されたＩＤ及びパスワードによって特定されるプリペイドカードが利用可能な状態である場合に、商品等の販売を行う代金決済システムが考えられている（例えば、特許文献２参照。）。
【０００５】
なお、上述したようなプリペイドカードとしては、金額情報や識別情報が書き込まれて単体で販売されるものが一般的であるが、その他に、例えば、表面に印字記入領域を有する印字シートの所定の領域に切込線によってカード部が区画形成され、このカード部における反対側の面に、カード部のサイズよりも大きなサイズの第１のフィルムが接着され、さらに、この第１のフィルムに第２のフィルムが剥離可能に接着され、切込線の切り込みが第１のフィルムまで達するように形成された印字シートも考えられており（例えば、特許文献３参照。）、この印字シートを用いて、カード部をプリペイドカードとして販売することも考えられる。
【特許文献１】特開２００２−８３２３７号公報
【特許文献２】特開平１１−２０３５６０号公報
【特許文献３】特開平８−１８３２７７号公報
【発明の開示】
【発明が解決しようとする課題】
【０００６】
しかしながら、上述したように、金額情報や、利用可能な状態とするための識別情報が印刷されたプリペイドカードを用いたものにおいては、金額情報が書き込まれたプリペイドカードが偽造されたり、任意の識別情報が印刷されたプリペイドカードが偽造され、このプリペイドカードから識別情報が読み取られてサーバ側に送信され、偽造されたプリペイドカードが利用可能な状態に設定されてしまったりする虞れがあり、その場合、偽造されたプリペイドカードが不正に使用されてしまうという問題点がある。
【０００７】
本発明は、上述したような従来の技術が有する問題点に鑑みてなされたものであって、プリペイドカードを容易に不正使用することを防止できる金券情報管理システム、金券情報管理サーバ及びプリペイドカード付きシートを提供することを目的とする。
【課題を解決するための手段】
【０００８】
上記目的を達成するために本発明は、
プリペイドカードに付与された金券情報を管理する金券情報管理システムであって、
表面に第１の識別情報が印刷されてなるプリペイドカードが、前記第１の識別情報が隠蔽されるように剥離可能に接着されるとともに、第２の識別情報が印刷されたシートと、
通信回線に接続され、前記第１及び第２の識別情報を読み取り可能な店舗端末と、
通信回線を介して前記店舗端末と接続可能に構成され、前記第１の識別情報と前記第２の識別情報とを対応づけて管理しておき、前記店舗端末にて前記第２の識別情報が読み取られた場合に、該第２の識別情報に対応づけられた第１の識別情報が印刷されたプリペイドカードを利用可能な状態として該プリペイドカードの金券情報を当該第１の識別情報と対応づけて管理しておき、前記店舗端末から前記第１の識別情報及び金額情報が送信されてきた場合に、当該第１の識別情報と対応づけて管理されている前記金券情報を、該第１の識別情報とともに前記店舗端末から送信されてきた前記金額情報を用いて更新する金券情報管理手段とを有することを特徴とする。
【０００９】
また、通信回線に接続可能なユーザ端末を有し、
前記プリペイドカードには、第３の識別情報が印刷され、
前記金券情報管理手段は、前記第１の識別情報と前記第３の識別情報とを対応づけて管理しておき、前記ユーザ端末にて前記第１の識別情報及び前記第３の識別情報が指定された場合に、両者が対応づけて管理されている場合、前記第１の識別情報に対応づけられた金券情報を前記ユーザ端末に送信することを特徴とする。
【００１０】
また、通信回線に接続可能に構成され、第１の識別情報が印刷されてなるプリペイドカードに付与された金券情報を管理する金券情報管理サーバであって、
前記第１の識別情報を、該第１の識別情報とは異なる第２の識別情報と対応づけて管理しておき、前記第２の識別情報が通信回線を介して送信されてきた場合に、該第２の識別情報に対応づけられた第１の識別情報が印刷されたプリペイドカードを利用可能な状態として該プリペイドカードの金券情報を当該第１の識別情報と対応づけて管理しておき、前記第１の識別情報及び金額情報が通信回線を介して送信されてきた場合に、当該第１の識別情報と対応づけて管理されている前記金券情報を、該第１の識別情報とともに通信回線を介して送信されてきた前記金額情報を用いて更新することを特徴とする。
【００１１】
また、前記第１及び第２の識別情報とは異なる第３の識別情報を、前記第１の識別情報と対応づけて管理しておき、通信回線を介して前記第１の識別情報及び前記第３の識別情報が送信されてきた場合に、両者が対応づけて管理されている場合、前記第１の識別情報に対応づけられた金券情報を通信回線を介して前記第１の識別情報及び前記第３の識別情報の送信元に送信することを特徴とする。
【００１２】
また、第１の識別情報が印刷されたプリペイドカードが剥離可能に接着されたプリペイドカード付きシートであって、
前記第１の識別情報が隠蔽されるように前記プリペイドカードが剥離可能に接着されるとともに、前記第１の識別情報と対応づけられた第２の識別情報が印刷されていることを特徴とする。
【００１３】
上記のように構成された本発明においては、プリペイドカードの表面には第１の識別情報が印刷されており、このプリペイドカードは、第１の識別情報が隠蔽されるように剥離可能に接着されたシートとして販売されている。このシートには、金券情報管理手段において第１の識別情報と対応づけて管理されている第２の識別情報が印刷されており、シート販売時に、店舗端末においてシートに印刷された第２の識別情報が読み取られる。すると、金券情報管理手段において、店舗端末にて読み取られた第２の識別情報に対応づけられた第１の識別情報が印刷されたプリペイドカードが利用可能な状態に設定され、このプリペイドカードの金券情報が第１の識別情報と対応づけて管理される。なお、この際、プリペイドカードに印刷された第１の識別情報は、シートによって隠蔽されており、外部から視認不可能な状態となっている。その後、プリペイドカードがシートから剥離され、商品等の購入に利用されると、店舗端末にてプリペイドカードに印刷された第１の識別情報が読み取られ、金券情報管理手段に送信され、金券情報管理手段において、第１の識別情報と対応づけて管理されている金券情報が、第１の識別情報とともに店舗端末から送信されてきた金額情報を用いて更新される。
【００１４】
このように、第１の識別情報が印刷されたプリペイドカードが、第１の識別情報と対応づけられた第２の識別情報が印刷されたシートに、第１の識別情報が隠蔽されるように剥離可能に接着された状態で、第２の識別情報が店舗端末にて読み取られることによって、第１の識別情報が印刷されたプリペイドカードが利用可能な状態に設定され、その後、シートからプリペイドカードが剥離され、プリペイドカードに印刷された第１の識別情報が店舗端末にて読み取られることによってプリペイドカードが利用されるので、第１の識別情報及び第２の識別情報の一方が偽造された場合であっても、プリペイドカードが不正に使用されることはない。なお、プリペイドカード販売時は第２の識別情報しか視認可能ではなく、また、プリペイドカード利用時は第１の識別情報しか認識可能ではないので、第１の識別情報と第２の識別情報とが同時に認識されてしまうことはない。
【００１５】
また、プリペイドカードに第３の識別情報を印刷しておき、金券情報管理手段において、第１の識別情報と第３の識別情報とを対応づけて管理しておき、ユーザ端末にて第１の識別情報と第３の識別情報が指定された場合に、両者が対応づけて管理されている場合、第１の識別情報に対応づけられた金券情報をユーザ端末に送信すれば、ユーザ端末を用いてプリペイドカードの金券情報を照会することができる。
【発明の効果】
【００１６】
以上説明したように本発明においては、第１の識別情報が印刷されたプリペイドカードが、第１の識別情報と対応づけられた第２の識別情報が印刷されたシートに、第１の識別情報が隠蔽されるように剥離可能に接着された状態で、第２の識別情報が店舗端末にて読み取られることによって、第１の識別情報が印刷されたプリペイドカードが利用可能な状態に設定され、その後、シートからプリペイドカードが剥離され、プリペイドカードに印刷された第１の識別情報が店舗端末にて読み取られることによってプリペイドカードが利用される構成としたため、第１の識別情報及び第２の識別情報の一方が偽造された場合であっても、プリペイドカードが不正に使用されることはなく、プリペイドカードを容易に不正使用することを防止できる。
【００１７】
また、プリペイドカードに第３の識別情報を印刷しておき、金券情報管理手段において、第１の識別情報と第３の識別情報とを対応づけて管理しておき、ユーザ端末にて第１の識別情報と第３の識別情報が指定された場合に、両者が対応づけて管理されている場合、第１の識別情報に対応づけられた金券情報をユーザ端末に送信するものにおいては、ユーザ端末を用いてプリペイドカードの金券情報を照会することができる。
【発明を実施するための最良の形態】
【００１８】
以下に、本発明の実施の形態について図面を参照して説明する。
【００１９】
図１は、本発明の金券情報管理システムの実施の一形態を示す図である。
【００２０】
本形態は図１に示すように、表面に第１の識別情報となる本ＩＤ３ａ及び第３の識別情報となるＰＩＮ番号３ｃが印刷されたプリペイドカード２が、本ＩＤ３ａ及びＰＩＮ番号３ｃが隠蔽されるように剥離可能に接着されるとともに、第２の識別情報となる仮ＩＤ３ｂ及びＰＯＳコード３ｄが印刷されたシート１と、本ＩＤ３ａ、仮ＩＤ３ｂ及びＰＯＳコード３ｄを読み取り可能なリーダ１２−１〜１２−ｎと、通信回線となる専用回線２０及びＰＯＳ端末１１−１〜１１−ｎにそれぞれ接続され、リーダ１２−１〜１２−ｎにて読み取られた本ＩＤ３ａ、仮ＩＤ３ｂ及びＰＯＳコード３ｄを読み込むＰＯＳ端末１１−１〜１１−ｎと、専用回線２０を介してＰＯＳ端末１１−１〜１１−ｎと接続され、ＰＯＳ端末１１−１〜１１−ｎから送信されてくる情報を用いてＰＯＳ端末１１−１〜１１−ｎ及びリーダ１２−１〜１２−ｎからなる店舗端末１０−１〜１０−ｎが設置された店舗の売上情報をＰＯＳ管理データベース３１に登録して管理するＰＯＳ管理サーバ３０と、専用回線２０を介してＰＯＳ端末１１−１〜１１−ｎと接続可能に構成され、本ＩＤ３ａと仮ＩＤ３ｂとを対応づけて金券情報データベース４５に登録して管理しておき、リーダ１２−１〜１２−ｎにて仮ＩＤ３ｂが読み取られ、読み取られた仮ＩＤ３ｂがＰＯＳ端末１１−１〜１１−ｎから専用回線２０を介して送信されてきた場合に、送信されてきた仮ＩＤ３ｂに対応づけられた本ＩＤ３ａが印刷されたプリペイドカードを利用可能な状態とし、金券情報データベース４５にてその本ＩＤに利用可能である旨を示すフラグを設定するとともに、仮ＩＤ３ｂとともにＰＯＳ端末１１−１〜１１−ｎから送られてきた金券情報をその本ＩＤと対応づけて金券情報データベース４５に登録して管理しておき、ＰＯＳ端末１１−１〜１１−ｎから本ＩＤ３ａ及び金額情報となる利用金額が送信されてきた場合に、送信されてきた本ＩＤ３ａと対応づけて金券情報データベース４５に登録されて管理されている金券情報を、本ＩＤ３ａとともにＰＯＳ端末１１−１〜１１−ｎから送信されてきた金額情報を用いて更新する金券情報管理サーバ４０と、インターネット５０に接続可能なユーザ端末６０−１〜６０−Ｎとから構成され、金券情報管理サーバ４０は、プリペイドカード２に印刷された本ＩＤ３ａとＰＩＮ番号３ｃとを金券情報データベース４５に対応づけて登録して管理しておき、ユーザ端末６０−１〜６０−Ｎにて本ＩＤ３ａとＰＩＮ番号３ｃが指定された場合に、金券情報データベース４５にて両者が対応づけて登録、管理されている場合、その本ＩＤに対応づけられた金券情報が掲載された情報画面を作成し、該情報画面をインターネット５０を介してユーザ端末６０−１〜６０−Ｎに提供する。また、金券情報管理サーバ４０は、リーダ１２−１〜１２−ｎにて読み取られ、ＰＯＳ端末１１−１〜１１−ｎから送信されてきた本ＩＤ３ａ、仮ＩＤ３ｂ、金券情報、金額情報を受け付ける金券情報受付部４１と、金券情報受付部４１にて受け付けられた情報を金券情報データベース４５に登録して管理したり、金券情報受付部４１にて受け付けられた情報を用いて金券情報データベース４５に登録された情報を更新、管理したりする金券情報管理部４２と、金券情報データベース４５に登録された金券情報が掲載された情報画面を作成し、この情報画面をインターネット５０を介して提供する金券情報提供部４３とから構成されている。
【００２１】
図２は、図１に示したシート１の一例を示す図であり、（ａ）は表面図、（ｂ）は（ａ）に示したＡ−Ａ’断面図、（ｃ）は裏面図、（ｄ）は（ａ）に示したシート１から剥離されたプリペイドカード２の表面図、（ｅ）は（ｄ）に示したＢ−Ｂ’断面図、（ｆ）は（ｄ）に示したプリペイドカード２の裏面図である。
【００２２】
本例におけるシート１は図２に示すように、カード基材２ａの一方の面に本ＩＤ３ａ及びＰＩＮ番号３ｃが印刷され、この面上に粘着剤４ａを介して透明のフィルム５ａが接着されてなるプリペイドカード２が、ベース基材１ａの一方の面に、粘着剤４ｂ及びフィルム５ｂを介して、フィルム５ａとフィルム５ｂとが擬似接着されることにより剥離可能に接着されて構成されている。また、ベース基材１ａの反対側の面には、仮ＩＤ３ｂと、商品管理のためのＰＯＳコード３ｄとが印刷されている。
【００２３】
このように構成されたシート１においては、ベース基材１ａにプリペイドカード２が接着されている状態では、シート１に印刷された仮ＩＤ３ｂ及びＰＯＳコード３ｄは外部から視認可能である一方、プリペイドカード２に印刷された本ＩＤ３ａ及びＰＩＮ番号３ｃは、ベース基材１ａによって外部から隠蔽されている。また、ベース基材１ａからプリペイドカード２を剥離すると、プリペイドカード２に印刷された本ＩＤ３ａ及びＰＩＮ番号３ｃが外部から視認可能な状態となる。
【００２４】
以下に、上記のように構成された金券情報管理システムにおける金券情報管理方法について説明する。
【００２５】
まず、店舗端末１０−１〜１０−ｎが設置された店舗にてプリペイドカード２が販売された際の処理について、店舗端末１０−１が設置された店舗にてプリペイドカード２が販売された際の処理を例に挙げて説明する。
【００２６】
図３は、図１に示した金券情報管理システムにおいて、店舗端末１０−１が設置された店舗にてプリペイドカード２が販売された際の処理を説明するためのフローチャートである。
【００２７】
店舗端末１０−１が設置された店舗にてプリペイドカード２が販売される場合、プリペイドカード２は図２に示したようにシート１に剥離可能に接着された状態で販売されるため、まず、リーダ１２−１によって、シート１に印刷されたＰＯＳコード３ｄ及び仮ＩＤ３ｂが読み取られる（ステップＳ１）。なお、この際、上述したように、シート１に印刷された仮ＩＤ３ｂ及びＰＯＳコード３ｄは外部から視認可能である一方、プリペイドカード２に印刷された本ＩＤ３ａ及びＰＩＮ番号３ｃは、ベース基材１ａによって外部から隠蔽されている。また、プリペイドカード２が接着されたシート１は、上部に形成された穴９によって吊り下げられて販売されている。
【００２８】
リーダ１２−１によって読み取られたＰＯＳコード３ｄ及び仮ＩＤ３ｂは、ＰＯＳ端末１１−１に読み込まれ、ＰＯＳ端末１１−１において、読み込まれたＰＯＳコード３ｃに基づいて、シート１を販売した旨を示す販売情報が送信され（ステップＳ２）、専用回線２０を介してＰＯＳ管理サーバ３０にて受信される（ステップＳ３）。ＰＯＳ管理サーバ３０においては、ＰＯＳ端末１１−１から送信されてきた販売情報がＰＯＳ管理データベース３１に登録されて管理される（ステップＳ４）。なお、ＰＯＳ端末１１−１からＰＯＳ管理サーバ３０への販売情報の送信は、上述したようにリアルタイムで行うことに限らず、予め決められた時間毎に行うことも考えられる。
【００２９】
また、ＰＯＳ端末１１−１においては、リーダ１２−１から読み込まれた仮ＩＤ３ｂと、プリペイドカード２の販売金額とがＰＯＳ端末１１−１から送信される（ステップＳ５）。ここで、プリペイドカード２の販売金額は、プリペイドカード２の金券情報となる利用可能金額となっており、シート１に印刷されたＰＯＳコード３ｄがリーダ１２−１によって読み取られることによってＰＯＳ端末１１−１にて認識される場合や、ＰＯＳ端末１１−１に直接入力されること等が考えられる。
【００３０】
ＰＯＳ端末１１−１から送信された仮ＩＤ３ｂ及び販売金額は、専用回線２０を介して金券情報管理サーバ４０の金券情報受付部４１にて受信される（ステップＳ６）。
【００３１】
すると、金券情報管理サーバ４０の金券情報管理部４２において、まず、金券情報データベース４５が参照され、金券情報受付部４１にて受信された仮ＩＤ３ｂに対応づけて登録、管理されている本ＩＤが検索される（ステップＳ７）。ここで、金券情報データベース４５においては、シート１に印刷されている仮ＩＤ３ｂと、このシート１に接着されて販売されているプリペイドカード２に印刷されている本ＩＤ３ａ及びＰＩＮ番号３ｃとが対応づけて登録されており、また、この本ＩＤが印刷されたプリペイドカードが利用可能な状態であるかどうかを示すフラグが設定されている。
【００３２】
その後、金券情報管理部４２において、検索された本ＩＤが印刷されたプリペイドカードが利用可能な状態とされ、金券情報データベース４５にてその本ＩＤに利用可能である旨を示すフラグが設定されるとともに、仮ＩＤ３ｂとともにＰＯＳ端末１１−１から送られてきた販売金額が、プリペイドカード２の利用可能な金額となる金券情報として本ＩＤと対応づけて金券情報データベース４５に登録されて管理される（ステップＳ８）。なお、金券情報データベース４５に登録される金券情報においては、仮ＩＤ３ｂとともにＰＯＳ端末１１−１から送られてきた販売金額に基づいて設定されるのではなく、仮ＩＤ３ｄが印刷されたシート１に接着されたプリペイドカード２の販売価格は決まっているため、仮ＩＤと対応づけて金券情報データベース４５に予め登録しておくことも考えられる。
【００３３】
このようにして、店舗端末１０−１〜１０−ｎが設置された店舗にてプリペイドカード２が販売されると、シート１に接着されたプリペイドカード２が利用可能な状態となる。シート１を購入した消費者は、プリペイドカード２をベース基材１ａから剥離し、そのプリペイドカード２を用いて商品等を購入することになる。なお、ベース基材１ａからプリペイドカード２が剥離されると、プリペイドカード２に印刷された本ＩＤ３ａ及びＰＩＮ番号３ｃが外部から視認可能な状態となる。
【００３４】
次に、プリペイドカード２を用いて店舗端末１０−１〜１０−ｎが設置された店舗にて商品等が販売される際の処理について、プリペイドカード２を用いて店舗端末１０−２が設置された店舗にて商品等が販売される際の処理を例に挙げて説明する。
【００３５】
図４は、図１に示した金券情報管理システムにおいて、店舗端末１０−２が設置された店舗にてプリペイドカード２を用いて商品等が販売される際の処理を説明するためのフローチャートである。
【００３６】
店舗端末１０−２が設置された店舗にて商品等が販売される際、商品等に印刷されたＰＯＳコードがリーダ１２−２にて読み取られ、さらに、消費者が提示したプリペイドカード２に印刷された本ＩＤ３ａがリーダ１２−２にて読み取られると（ステップＳ１１）、リーダ１２−２にて読み取られたＰＯＳコード及び本ＩＤ３ａがＰＯＳ端末１１−２に読み込まれ、ＰＯＳコードによって認識された、利用金額となる商品等の価格と本ＩＤ３ａとがＰＯＳ端末１１−２から送信され（ステップＳ１２）、専用回線２０を介して金券情報管理サーバ４０の金券情報受付部４１にて受信される（ステップＳ１３）。なお、商品等の価格と本ＩＤ３ａは、ＰＯＳ端末１１−２から専用回線２０を介し、ＰＯＳ管理サーバ３０を経由して金券情報管理サーバ４０に送信されることも考えられる。
【００３７】
なお、リーダ１２−２にてＰＯＳコードが読み取られると、上述したプリペイドカード２の販売時と同様に、ＰＯＳコードに基づいて、商品等を販売した旨を示す販売情報がＰＯＳ端末１１−２から専用回線２０を介してＰＯＳ管理サーバ３０に送信され、ＰＯＳ管理サーバ３０において、ＰＯＳ端末１１−２から送信されてきた販売情報がＰＯＳ管理データベース３１に登録されて管理される。
【００３８】
ＰＯＳ端末１１−２から送信されてきた利用金額と本ＩＤとが金券情報受付部４１にて受信されると、金券情報管理部４２において、金券情報データベース４５が参照され、金券情報受付部４１にて受信された本ＩＤに対応づけられた金券情報が検索され（ステップＳ１４）、金券情報受付部４１にて受信された本ＩＤ３ａが印刷されたプリペイドカード２が利用可能な状態であるかどうかが、利用可能な状態であることを示すフラグが設定されているかどうかを確認することによって判断される（ステップＳ１５）。
【００３９】
金券情報受付部４１にて受信された本ＩＤ３ａが印刷されたプリペイドカード２が利用可能な状態であると判断された場合は、金券情報データベース４５から検索された金券情報に基づいて、プリペイドカード２の利用残高と金券情報受付部４１にて受信された利用金額とが比較され（ステップＳ１６）、プリペイドカード２の利用残高が金券情報受付部４１にて受信された利用金額以上である場合は、プリペイドカード２の利用残高から金券情報受付部４１にて受信された利用金額が減算されてプリペイドカード２の利用残高が更新されるとともに（ステップＳ１７）、更新された利用残高が金券情報受付部４１から送信され（ステップＳ１８）、専用回線２０を介してＰＯＳ端末１１−２にて受信、表示される（ステップＳ１９）。
【００４０】
一方、ステップＳ１５において、金券情報受付部４１にて受信された本ＩＤ３ａが印刷されたプリペイドカード２が利用可能な状態はないと判断された場合は、プリペイドカード２が利用可能な状態ではない旨が金券情報受付部４１から送信され（ステップＳ２０）、専用回線２０を介してＰＯＳ端末１１−２にて受信、表示される（ステップＳ２１）。
【００４１】
また、ステップＳ１６における比較の結果、プリペイドカード２の利用残高が金券情報受付部４１にて受信された利用金額未満である場合は、プリペイドカード２の利用残高が足りない旨が金券情報受付部４１から送信され（ステップＳ２２）、専用回線２０を介してＰＯＳ端末１１−２にて受信、表示される（ステップＳ２３）。
【００４２】
このようにして、プリペイドカード２を購入した消費者は、プリペイドカード２を用いて商品等を購入することになる。
【００４３】
次に、ユーザ端末６０−１〜６０−Ｎにおいて金券情報データベース４５に登録されているプリペイドカード２の利用状況を照会する際の処理について、ユーザ端末６０−１において金券情報データベース４５に登録されているプリペイドカード２の利用状況を照会する際の処理を例に挙げて説明する。
【００４４】
図５は、図１に示した金券情報管理システムにおいて、金券情報データベース４５に登録されているプリペイドカード２の利用状況をユーザ端末６０−１にて照会する際の処理を説明するためのフローチャートである。
【００４５】
金券情報データベース４５に登録されているプリペイドカード２の利用状況を照会するために、金券情報管理サーバ４０の金券情報提供部４３にて管理される利用状況照会ページにユーザ端末６０−１にてアクセスが行われると（ステップＳ３１）、金券情報提供部４３から本ＩＤ及びＰＩＮ番号を入力するための画面が送信され（ステップＳ３２）、ユーザ端末６０−１にて受信、表示される（ステップＳ３３）。
【００４６】
ユーザ端末６０−１に表示された画面に、利用状況を照会するプリペイドカード２に印刷された本ＩＤ３ａ及びＰＩＮ番号３ｃが入力され、送信されると（ステップＳ３４）、ユーザ端末６０−１に表示された画面に入力された本ＩＤ３ａ及びＰＩＮ番号３ｃが金券情報提供部４３にて受信され（ステップＳ３５）、金券情報管理部４２において、金券情報提供部４３にて受信された本ＩＤ及びＰＩＮ番号が金券情報データベース４５に登録されているかどうかが確認され（ステップＳ３６）、金券情報提供部４３にて受信された本ＩＤ及びＰＩＮ番号が金券情報データベース４５に登録されている場合、その本ＩＤ及びＰＩＮ番号に対応づけられた利用残高が検索される（ステップＳ３７）。なお、金券情報データベース４５に、プリペイドカード２の利用残高のみを本ＩＤ、仮ＩＤ及びＰＩＮ番号と対応づけて登録しておくのではなく、プリペイドカード２の利用日時やその時の利用金額等も、プリペイドカード２の本ＩＤ、仮ＩＤ及びＰＩＮ番号と対応づけて登録しておけば、これら全ての情報が利用状況として金券情報データベース４５から検索されることになる。
【００４７】
その後、金券情報提供部４３において、金券情報データベース４５から検索されたプリペイドカード２の利用状況が掲載された利用状況掲載画面が作成され、送信される（ステップＳ３８）。
【００４８】
金券情報提供部４３から送信された利用状況掲載画面は、インターネット５０を介してユーザ端末６０−１にて受信、表示され（ステップＳ３９）、プリペイドカードの利用者は、プリペイドカード２に印刷された本ＩＤ３ａ及びＰＩＮ番号３ｃを用いてプリペイドカード２の利用状況を照会することができる。
【００４９】
また、金券情報提供部４３にて受信された本ＩＤ及びＰＩＮ番号が金券情報データベース４５に登録されていない場合は、ステップＳ３３にてユーザ端末６０−１に表示された画面に入力された本ＩＤ及びＰＩＮ番号が登録されていない旨が送信され（ステップＳ４０）、ユーザ端末６０−１にて受信され、表示される（ステップＳ４１）。
【００５０】
なお、上述したような金券情報管理システムに用いられるシート１においては、図２に示したような構造を有するものに限らず、表面に本ＩＤ３ａが印刷されてなるプリペイドカード２が、本ＩＤ３ａが隠蔽されるように剥離可能に接着されるとともに、仮ＩＤ３ｂが外部から視認可能に印刷されていればよく、以下に、他の構造例について説明する。
【００５１】
図６は、図１に示したシート１の他の例を示す図であり、（ａ）は表面図、（ｂ）は（ａ）に示したＡ−Ａ’断面図、（ｃ）は裏面図、（ｄ）は（ａ）に示したシート１から剥離されたプリペイドカード２の表面図、（ｅ）は（ｄ）に示したＢ−Ｂ’断面図、（ｆ）は（ｄ）に示したプリペイドカード２の裏面図である。
【００５２】
本例におけるシート１は図６に示すように、ベース基材１ａの一方の面の一部に粘着剤４ａを介して透明のフィルム５ａが接着され、さらに、フィルム５ａとフィルム５ｂとが公知の技術（例えば、特許第２５４２２１４号）により擬似接着されて構成されている。また、ベース基材１ａのうち、フィルム５ａが接着された領域は、ベース基材１ａからフィルム５ｂの表面に達する深さを有する切り込み６が形成されており、接着剤４ａによって互いに接着されたベース基材１ａとフィルム５ａとのうち、この切り込み６によって囲まれた領域がプリペイドカード２となる。このプリペイドカード２においては、ベース基材１のフィルム５ａが接着された面に本ＩＤ３ａ及びＰＩＮ番号３ｃが印刷されており、また、フィルム５ｂにおいては、本ＩＤ３ａとＰＩＮ番号３ｃと対向する領域に隠蔽部７が形成されている。また、ベース基材１ａにおいては、仮ＩＤ３ｂと、商品管理のためのＰＯＳコード３ｄとが外部から視認可能に印刷されている。なお、フィルム５ｂに隠蔽部７を形成する以外に、フィルム５ｂを不透明なものとすることが考えられる。
【００５３】
このように構成されたシート１においては、フィルム５ａとフィルム５ｂとが接着されている状態では、ベース基材１ａに印刷された仮ＩＤ３ｂ及びＰＯＳコード３ｄは外部から視認可能である一方、プリペイドカード２に印刷された本ＩＤ３ａ及びＰＩＮ番号３ｃは、フィルム５ｂに形成された隠蔽部７によって外部から隠蔽されている。また、フィルム５ａとフィルム５ｂとを剥離することによりベース基材１ａからプリペイドカード２を剥離すると、プリペイドカード２に印刷された本ＩＤ３ａ及びＰＩＮ番号３ｃが外部から視認可能な状態となる。
【００５４】
図７は、図１に示したシート１の他の例を示す図であり、（ａ）は表面図、（ｂ）は（ａ）に示したＡ−Ａ’断面図、（ｃ）は裏面図、（ｄ）は（ａ）に示したシート１から剥離されたプリペイドカード２の表面図、（ｅ）は（ｄ）に示したＢ−Ｂ’断面図、（ｆ）は（ｄ）に示したプリペイドカード２の裏面図である。
【００５５】
本例におけるシート１は図７に示すように、ベース基材１ａの一方の面の全面に、シール基材８及び粘着剤４ａからなる剥離可能なシールが貼付されて構成されている。また、ベース基材１ａの一部に切り込み６が形成されており、この切り込み６によって囲まれた領域がプリペイドカード２となる。このプリペイドカード２においては、ベース基材１のシールが貼付された面に本ＩＤ３ａ及びＰＩＮ番号３ｃが印刷されており、ベース基材１ａにおいては、仮ＩＤ３ｂと、商品管理のためのＰＯＳコード３ｄとが外部から視認可能に印刷されている。
【００５６】
このように構成されたシート１においては、ベース基材１ａの一方の面の全面にシールが貼付されている状態では、ベース基材１ａに印刷された仮ＩＤ３ｂ及びＰＯＳコード３ｄは外部から視認可能である一方、プリペイドカード２に印刷された本ＩＤ３ａ及びＰＩＮ番号３ｃは、シール基材８によって外部から隠蔽されている。また、ベース基材１ａのうち、切り込み６によって囲まれた領域をシールから剥離することによりプリペイドカード２のみをシールから剥離すると、プリペイドカード２に印刷された本ＩＤ３ａ及びＰＩＮ番号３ｃが外部から視認可能な状態となる。
【図面の簡単な説明】
【００５７】
【図１】本発明の金券情報管理システムの実施の一形態を示す図である。
【図２】図１に示したシートの一例を示す図であり、（ａ）は表面図、（ｂ）は（ａ）に示したＡ−Ａ’断面図、（ｃ）は裏面図、（ｄ）は（ａ）に示したシートから剥離されたプリペイドカードの表面図、（ｅ）は（ｄ）に示したＢ−Ｂ’断面図、（ｆ）は（ｄ）に示したプリペイドカードの裏面図である。
【図３】図１に示した金券情報管理システムにおいて、店舗端末が設置された店舗にてプリペイドカードが販売された際の処理を説明するためのフローチャートである。
【図４】図１に示した金券情報管理システムにおいて、店舗端末が設置された店舗にてプリペイドカードを用いて商品等が販売される際の処理を説明するためのフローチャートである。
【図５】図１に示した金券情報管理システムにおいて、金券情報データベースに登録されているプリペイドカードの利用状況をユーザ端末にて照会する際の処理を説明するためのフローチャートである。
【図６】図１に示したシートの他の例を示す図であり、（ａ）は表面図、（ｂ）は（ａ）に示したＡ−Ａ’断面図、（ｃ）は裏面図、（ｄ）は（ａ）に示したシートから剥離されたプリペイドカードの表面図、（ｅ）は（ｄ）に示したＢ−Ｂ’断面図、（ｆ）は（ｄ）に示したプリペイドカードの裏面図である。
【図７】図１に示したシートの他の例を示す図であり、（ａ）は表面図、（ｂ）は（ａ）に示したＡ−Ａ’断面図、（ｃ）は裏面図、（ｄ）は（ａ）に示したシートから剥離されたプリペイドカードの表面図、（ｅ）は（ｄ）に示したＢ−Ｂ’断面図、（ｆ）は（ｄ）に示したプリペイドカードの裏面図である。
【符号の説明】
【００５８】
１    シート
１ａ    ベース基材
２    プリペイドカード
２ａ    カード基材
３ａ    本ＩＤ
３ｂ    仮ＩＤ
３ｃ    ＰＩＮ番号
３ｄ    ＰＯＳコード
４ａ，４ｂ    接着剤
５ａ，５ｂ    フィルム
６    切り込み
７    隠蔽部
８    シール基材
９    穴
１０−１〜１０−ｎ    店舗端末
１１−１〜１１−ｎ    ＰＯＳ端末
１２−１〜１２−ｎ    リーダ
２０    専用回線
３０    ＰＯＳ管理サーバ
３１    ＰＯＳ管理データベース
４０    金券情報管理サーバ
４１    金券情報受付部
４２    金券情報管理部
４３    金券情報提供部
４５    金券情報データベース
５０    インターネット
６０−１〜６０−Ｎ    ユーザ端末
【図１】
2005149289.tif 000003
【図２】
2005149289.tif 000004
【図３】
2005149289.tif 000005
【図４】
2005149289.tif 000006
【図５】
2005149289.tif 000007
【図６】
2005149289.tif 000008
【図７】
2005149289.tif 000009